(57)【要約】      （修正有）【課題】容易に視力訓練用画像にのみ意識を集中させることができる視力回復訓練装置を提供する。【解決手段】マーク６を表示する注視部４を筐体内に備え、筐体内部空間１に存在する色は、マーク６を除いて全て同一色である。注視部４は筐体にほぼ密着されており、同一色は黒色が好ましい。【選択図】図１
2007014418.tif 000002
【特許請求の範囲】
【請求項１】
目の結像調節機能の訓練を行う視力回復訓練装置であって、
視力訓練用画像を表示する注視部を筐体内に備え、
前記筐体の内部空間に存在する色は、前記視力訓練用画像を除いて全て同一色である視力回復訓練装置。
【請求項２】
請求項１記載の視力回復訓練装置であって、
訓練者の目位置と前記注視部の位置との光学距離に応じて、前記視力訓練用画像が前記訓練者の網膜上に、一定のサイズで投影されるように前記訓練用画像の表示サイズを変化させる表示制御部を備える視力回復訓練装置。
【請求項３】
請求項１又は２記載の視力回復訓練装置であって、
前記注視部は、前記筐体の内壁にほぼ密着して設置される視力回復訓練装置。
【請求項４】
請求項１乃至３のいずれか一項記載の視力回復訓練装置であって、
前記同一色は、黒色である視力回復訓練装置。
【発明の詳細な説明】
【技術分野】
【０００１】
本発明は、目の結像調整機能の訓練を行う視力回復訓練装置に関する。
【背景技術】
【０００２】
一般に、視力の低下は、目の調節筋（毛様体筋）の調節緊張や衰弱によって目の結像調節機能が低下することが一因と考えられている。この筋肉を訓練することによって、視力の回復が期待できる。従来、視力を回復させるために、毛様体筋を訓練によって活性化し、遠近調節機能を活発にすることによって視力改善をはかる方法が実施されている。
【０００３】
従来技術として、この調節筋の働きを活発にすることによって視力改善効果を向上させようとする視力回復訓練装置が開示されている（例えば、特許文献１参照）。この視力回復装置は、マークが表示された注視板を往復移動させて、マークを訓練者に対して近接又は離間させるものである。この装置の訓練者がこのマークを注視すると、目の焦点が、近距離と遠距離との間を連続して移動するので調節筋が効率よく訓練される。
【特許文献１】特開平６−３３９５０１号公報
【０００４】
この種の視力回復装置では、訓練者がマークを注視しなければ訓練の効果が得られない為、各種の工夫がなされている。例えば特許文献１には、装置全体をケースに収容することによって、マークが表示された注視板が空洞内を往復移動する操作をしても、外乱を減らして注視しやすくする構成が記載されている。
【０００５】
上記従来の視力回復訓練装置は、往復運動して視界に入るものはマークだけではなく、注視板そのものと注視板を支える支柱があるため、訓練者にマークだけを意識させるには十分とは言えない。訓練者の意識として、近づいてくるマークに対しては意識が集中しやすく、遠ざかるマークに対して意識が散漫になりやすい。また、近づくマークに対する意識の集中が強すぎると訓練者の疲労感が増大する。近視傾向が強くなってしまう場合もある。
【発明の開示】
【発明が解決しようとする課題】
【０００６】
そこで、訓練者の負担が軽減され訓練の効果がより期待できるように、常にマークに対する意識の集中度合いを安定させることが求められている。
【０００７】
本発明は、上記従来の事情に鑑みてなされたものであって、注視すべき視力訓練用画像へ訓練者の意識を容易に集中させ効率よく視力回復訓練できる視力回復訓練装置を提供することを目的とする。
【課題を解決するための手段】
【０００８】
本発明の視力回復訓練装置は、視力訓練用画像を表示する注視部を筐体内に備え、筐体の内部空間に存在する色が、視力訓練用画像を除いて全て同一色であるものである。
【０００９】
上記構成によれば、筐体の内部空間に存在する色が視力訓練用画像を除いて全て同一色である為、訓練者は、容易に視力訓練用画像にのみ意識を集中させることができる。
【００１０】
また、本発明の視力回復訓練装置は、訓練者の目位置と注視部の位置との光学距離に応じて、視力訓練用画像が訓練者の網膜上に、一定のサイズで投影されるように訓練用画像の表示サイズを変化させる表示制御部を備える。
【００１１】
上記構成によれば、網膜上に結像する図形の大きさが一定となるので、調節筋を効率よく訓練できる。
【００１２】
また、本発明の視力回復訓練装置は、注視部が、筐体の内壁にほぼ密着して設置されるものである。
【００１３】
上記構成によれば、注視部そのものの存在感を消すことができる為、注視部のサイズが変化することを意識せずに集中して訓練できる。したがって、訓練者の集中力を低下させることなく、効率よく視力回復訓練を行うことができる。
【００１４】
さらに、本発明の視力回復訓練装置の同一色は、黒色であるものである。
【００１５】
上記構成によれば、訓練者は容易にマークのみに意識を集中させやすくなるため、効率よく視力回復訓練を行うことができる。
【発明の効果】
【００１６】
本発明の視力回復訓練装置によれば、筐体の内部空間に存在する色が視力訓練用画像を除いて全て同一色である為、訓練者は、容易に視力訓練用画像にのみ意識を集中させることができる。
【発明を実施するための最良の形態】
【００１７】
（第一の実施形態）
図１は、本発明の第一の実施形態の視力回復訓練装置の要部概略構成の一例を説明するための斜視図である。図１において、本装置は、大別して筐体内部空間１と注視部移動手段格納部２の二要素から構成する。本装置は、訓練者が注視部４に表示されるマーク６以外、例えば注視部移動手段、装置周囲の景色等の外乱の影響を受けずに訓練できるように構成する。筐体内部空間１の壁面の一つに接眼部３を設ける。接眼部３から目視できる位置に注視部４を配置する。接眼部３は、訓練者が目を当ててマーク６を見るためのもので、少なくとも一つ、好ましくは二つ設ける。
【００１８】
本実施形態では、注視部４は、訓練者が注視するためのマーク６を適宜変化できるように、例えば、ＣＲＴ（Cathode Ray Tube）、液晶ディスプレイ、有機ＥＬ（Electro-Luminescence）等の発光素子によるディスプレイ等の電子的な表示手段である表示部５を有する。注視部４は、注視部移動手段格納部２内に収められた注視部移動手段によって往復運動し、接眼部３との距離を変化させる。注視部移動手段は、例えばプーリー９とベルト１０でベルトコンベアを構成し、ベルト１０と注視部４を接続して、プーリー９を例えばモーター１１等で回転方向を変えて駆動させることによって注視部４を往復運動させる。また、ボールねじのナットと注視部４を接続し、ボールねじを例えばモーター１１等で回転方向を変えて回転させることによって注視部４を往復運動させても実現可能である。筐体内部空間１と注視部移動手段格納部２の境界には、注視部４を注視部移動手段に接続して往復運動させるのに必要最小限な開口２ｋを設ける。
【００１９】
図２は、図１に示された第一の実施形態の視力回復訓練装置の一例の断面状態を説明する図である。図２において、注視部４は、支柱７又は他の適宜な支持手段を用いて台座８に固定する。台座８は、プーリー９、ベルト１０等で構成した搬送手段に載置する。モーター１１の動作及び電子的表示手段で構成した注視部４の表示は、後述する制御装置３０によって制御される。図示しないが、制御装置３０は、表示部５、モーター１１、等と制御信号を送受信するための信号線で接続する。
【００２０】
図３は、視力回復訓練装置の動作を制御する制御装置の概略機能ブロック図である。制御装置３０は、主制御部１２、注視部移動制御部１３、注視部表示制御部１４、操作部１５を含む。主制御部１２は、視力回復訓練装置全体の動作を制御するものであり、操作部１５の指示に基づいて注視部移動制御部１３及び注視部表示制御部１４を制御する。注視部移動制御部１３は、モーター１１に対する駆動信号を出力して注視部４の移動を制御する。その際、操作部１５の設定に応じた情報を主制御部１２から取得し、注視部４の移動範囲及び移動速度を制御する。注視部４の移動は連続的であっても間欠的であっても良い。注視部表示制御部１４は、例えばＣＲＴ、液晶ディスプレイ、有機ＥＬ、等の発光素子によるディスプレイ等の電子的な表示手段からなる表示部５を駆動し、訓練者が注視するためのマーク６を表示させる。
【００２１】
注視部表示制御部１４は、接眼部３と注視部４との光学距離に比例した大きさのマーク６を表示させる。接眼部３と注視部４との光学距離の情報は主制御部１２から取得する。接眼部３と注視部４との光学距離に比例した大きさのマーク６を表示するためのデータは、その都度演算しても良いし、操作情報等を記憶する記憶手段（図示せず）に予め記憶された情報を読み出して表示しても良い。表示するマーク６は、記憶手段に予め記憶させておいたマ−クを必要の都度操作部１５で選択指定して用いても良いし、訓練者の希望のマーク６を操作部１５から指定して用いても良い。その場合、接眼部３と注視部４との光学距離に比例した大きさのマーク６を表示するデータをその都度演算する必要がある。なお、マーク６については、文字、図形、記号、画像、等の訓練者が注目しやすく目の焦点をあわせやすいマーク６であれば何でも構わない。
【００２２】
図１に示す視力回復訓練装置を用いて視力回復訓練を行う場合、訓練者は接眼部３から筐体内部空間１内を覗いて、注視部４上のマーク６を注視する。マーク６の位置は、注視部４の移動によって変化するため、訓練者は位置の異なるマーク６を見ていることになる。したがって、マーク６の位置の変化に対応して、目の焦点を合わせる必要が生じ、毛様体筋等の目の結像調節機能を稼働させることによって、結像調節機能の向上が期待できる。訓練者の目とマーク６との光学距離は、およそ正常視力者の近点距離と遠点距離との間で変化させることが好ましい。
【００２３】
図４は、本発明の第一の実施形態の視力回復訓練装置の注視部を移動させたときに表示されるマークの一例を示す図であり、注視部４を移動させたとき、訓練者から（ａ）最も近い位置、（ｂ）最も近い位置と最も遠い位置との中間位置（ｃ）最も遠い位置の各位置で表示されるマーク６のそれぞれの例を示す。このように、訓練者からの距離に比例した大きさで、互いに相似の形状のマーク６を表示させると、訓練者から見えるマーク６の大きさ及び形状がたとえ距離が変化しても実質的に変化しないため、訓練者の脳に入力される情報量も変化せず、楽に目の焦点を合わせることができる。
【００２４】
さらに、第一の実施形態の視力回復訓練装置では、筐体内部空間１を構成するすべての壁面とマーク６以外の注視部４の色をすべて黒色としている。つまり、マーク６以外の訓練者の視界に入るものすべてを黒色の同一色にしている。このように、マーク６のみに黒色以外の色を用いることによって、筐体内部空間１内をあたかもマーク６のみが往復運動しているかのように訓練者には視認でき、訓練者は容易にマーク６のみに意識を集中させやすくなるため、訓練効果が向上する。
【００２５】
なお、この第一の実施形態では、電子的な表示手段からなる表示部５上でマーク６のみを黒色以外で表示させることによって、表示部５に表示されるマーク６の明るさによって、接眼部３以外は遮蔽された空間である暗い筐体内部空間１内でもマーク６を視認することは可能であるが、マーク６を視認させるために必要に応じて、例えば照明等で筐体内部空間１内を適度に明るくするのが好ましい。マーク６以外の色について、この第一の実施形態のようにマーク６のみが明るい場合には周囲がすべて黒色であるとその対比でマーク６が視認しやすいが、マーク６の種類、形状、色、明るさ、筐体内部空間１内の明るさ、等によって、マーク６以外の色は変化して当然であるが同一色でなければならない。
【００２６】
（第二の実施形態）
図５は、本発明の第二の実施形態の視力回復訓練装置の要部概略構成の断面状態を説明する図である。図１の第一の実施形態との相違点は、第一の実施形態では注視部４が表示部５を有していたのに対し、第二の実施形態では、注視部４が、例えば平面鏡等の反射手段１６を有する点である。訓練者が注視するためのマークを表示するマーク表示部１７上のマークは、注視部４上の反射手段１６によって反射像として接眼部３から目視される。マーク表示部１７上のマークの光１７ｈは、反射手段１６により反射されて接眼部３への入射光１７ｉとして入射する。マーク表示部１７上のマークから反射手段１６で反射されて接眼部３に到達するまでの光の通過距離は、接眼部３からマークまでの光学的な距離である。注視部４上の反射手段１６が移動することによって、接眼部３からマークまでの光学的な距離が変化する。接眼部３から反射手段１６を有する注視部４までの実際の距離は、光の反射を利用することによって接眼部３からマークまでの光学的な距離よりも短くすることが可能であるため、装置の小型化を図ることができる。
【００２７】
第二の実施形態では、筐体内部空間１内において、マークと例えば平面鏡からなる反射手段１６以外をすべて黒色の同一色とすることによって、訓練者は容易にマークのみに意識を集中させやすくなるため、訓練効果が向上する。本実施形態の視力回復訓練装置の動作制御については、図３の注視部表示制御部１４がマーク表示部１７の制御手段としての役割を為しマーク表示部１７上のマークを表示制御する以外は、第一の実施形態で示した視力回復訓練装置と同様である。
【００２８】
なお、第一の実施形態及び第二の実施形態では、筐体内部空間１と注視部移動手段格納部２の各構成要素を明確に分離した構成について説明した。この構成は、注視部移動手段の機械的な動きの気配や動作音等の外乱を訓練者が受け難いため、マークへの意識の集中を高めやすいという利点がある。注視部移動手段の構成によって、注視部移動手段の一部又は全部が筐体内部空間１内に存在したとしても、筐体内部空間１として訓練者の視界に入ってくるものの色が、マーク以外はすべて同一色であれば良い。このことは、本発明を逸脱するものではない。
【００２９】
（第三の実施形態）
図６は、本発明の第三の実施形態の視力回復訓練装置の要部概略構成を説明するための斜視図である。図６の第三の実施形態の特徴は、注視部４の四辺が、筐体内部空間１の内壁にほぼ密着して設置される、すなわち、注視部４の大きさが筐体内部空間１内を往復運動可能なクリアランスを残して筐体内部空間１の幅と高さ全体を占める大きさになっている点である。マーク６を注視している訓練者は、マーク６と一緒に注視部４そのものも視認しているはずであり、注視部４の往復運動によって、視認される注視部４の大きさは、近くなれば大きく、遠くなれば小さく変化する。注視部４の視認される大きさの変化は、訓練者の脳に入る情報量の不要な変化であり、訓練者の疲労感及び集中力の低下を招く原因になる。このように、注視部４の大きさを筐体内部空間１の幅と高さ全体を占める大きさまで大きくすることによって、同一サイズのマーク６であっても注視部４上に占める割合は小さくなり、マーク６を注視部４中央に配置すれば注視部４の外形線とマーク６との距離を確保でき、注視部４の大きさへの意識が薄れる。
【００３０】
さらに、視認される注視部４の外形線は筐体内部空間１の視軸に垂直な断面の大きさと概等しくなり、注視部４そのものの存在感を消して、訓練者にはちょうど接眼部３が設けられた壁面と対向する壁面が往復移動しているように視認される。これによって注視部４の視認される大きさが変化することを意識せずに訓練できるため、訓練者の集中力を低下させることなくマーク６に意識が集中しやすくなり、訓練効果が向上する。
【００３１】
以上説明したように、筐体内部空間内に存在する色はマークを除いてすべて同一色であるので、訓練者は容易にマークのみに意識を集中させやすくなるため、効率よく視力回復訓練できるという利点がある。
【産業上の利用可能性】
【００３２】
本発明は、筐体の内部空間に存在する色が視力訓練用画像を除いて全て同一色である為、訓練者は、容易に視力訓練用画像にのみ意識を集中させることができる効果を有し、目の結像調整機能の訓練を行う視力回復訓練装置等に有用である。
【図面の簡単な説明】
【００３３】
【図１】本発明の第一の実施形態の視力回復訓練装置の要部概略構成の一例を説明するための斜視図
【図２】本発明の第一の実施形態の視力回復訓練装置の一例の断面状態を説明する図
【図３】本発明の第一の実施形態の視力回復訓練装置の動作を制御する制御装置の概略機能ブロック図
【図４】本発明の第一の実施形態の視力回復訓練装置の注視部を移動させたときに表示されるマークの一例を示す図
【図５】本発明の第二の実施形態の視力回復訓練装置の要部概略構成の断面状態を説明する図
【図６】本発明の第三の実施形態の視力回復訓練装置の要部概略構成を説明するための斜視図
【符号の説明】
【００３４】
１  筐体内部空間
２  注視部移動手段格納部
３  接眼部
４  注視部
５  表示部
６  マーク
７  支柱
８  台座
９  プーリー
１０  ベルト
１１  モーター
１２  主制御部
１３  注視部移動制御部
１４  注視部表示制御部
１５  操作部
１６  反射手段
１７  マーク表示部
【図１】
2007014418.tif 000003
【図２】
2007014418.tif 000004
【図３】
2007014418.tif 000005
【図４】
2007014418.tif 000006
【図５】
2007014418.tif 000007
【図６】
2007014418.tif 000008